(57)【特許請求の範囲】
【請求項１】
移動用台車と、
前記移動用台車に取り付けられたＸ線管支持部と、
前記Ｘ線管支持部に支持された陽極回転型Ｘ線管と、
前記Ｘ線管の陽極回転機構に電圧を供給し、陽極の回転を制御する陽極駆動制御部と、
前記移動用台車に搭載され、前記Ｘ線管に高電圧を印加する高電圧発生装置と、
前記移動用台車に備えられ、被検者からのＸ線透過像を検出するＸ線検出器と、を有する回診用Ｘ線撮影装置において、
前記陽極駆動制御部が、Ｘ線照射時の前記Ｘ線管の陽極の回転速度を変更し得るようになっていて、予め設定された撮影場所または撮影時刻またはその両方を含んでいる撮影条件における前記撮影場所または前記撮影時刻に基づき静粛動作が要求されると判定したとき、または、静粛動作命令の入力を受けたとき、前記Ｘ線管の陽極を、低速度で回転する静粛モードで動作させることを特徴とする回診用Ｘ線撮影装置。
【請求項２】
Ｘ線照射条件の入力を受ける入力部を備え、前記陽極駆動制御部は、前記Ｘ線管の陽極を前記静粛モードで動作させるとき、前記入力部に入力されたＸ線照射条件が前記陽極の回転速度に適合しない場合には、該Ｘ線照射条件でのＸ線照射を行わないことを特徴とする請求項１に記載の回診用Ｘ線撮影装置。
【請求項３】
複数の前記撮影条件が予め格納された撮影条件記憶部と、前記撮影条件記憶部に格納された複数の前記撮影条件のうち１の撮影条件の選択の入力を受ける撮影条件選択部と、を備え、前記陽極駆動制御部は、前記撮影条件選択部において選択された撮影条件に基づき静粛動作が要求されると判定したとき、または、前記静粛動作命令の入力を受けたとき、前記Ｘ線管の陽極を前記静粛モードで動作させることを特徴とする請求項１または請求項２に記載の回診用Ｘ線撮影装置。
【請求項４】
前記回診用Ｘ線撮影装置の外部に配置された管理装置と、無線または有線通信するための送受信部を備え、前記陽極駆動制御部は、前記送受信部において前記管理装置から受信した前記予め設定された撮影条件に基づき静粛動作が要求されると判定したとき、または、前記静粛動作命令の入力を受けたとき、前記Ｘ線管の陽極を前記静粛モードで動作させることを特徴とする請求項１または請求項２に記載の回診用Ｘ線撮影装置。
【発明の詳細な説明】
【技術分野】
【０００１】
本発明は、病院内の一般病室や集中治療室等に移動させてＸ線撮影を行うための回診用Ｘ線撮影装置に関するものである。
【背景技術】
【０００２】
従来の回診用Ｘ線撮影装置のＸ線管は、回転陽極型Ｘ線管からなっている。この場合、Ｘ線管の陽極は、通常、回転子と傘状のターゲットからなり、誘導モータの原理で回転する。そして、ターゲットを回転させてターゲットにおける電子衝突面を常に移動させ、電子の衝突によって発生する熱をターゲット全体に拡散させることにより、ターゲットの単位面積当たりの電子線の入力を増大させ、大容量のＸ線管を得ることができる（例えば、特許文献１、２参照）。
【０００３】
この種のＸ線管が作動するとき、陽極が高速回転するため、大きな機械的負荷が生じ、潤滑剤による緩和効果にも限界があって大きな回転音が発生する。そして、近年のＸ線管装置の出力アップの要求に伴って陽極の回転の高速化がより進められ、その結果、動作中に発生する回転音も増大する傾向にある。
【０００４】
しかし、この回転音は患者に対しては不快な騒音となっており、特に、夜間にこのＸ線撮影装置が使用されると、周囲の患者の睡眠が妨げられてしまうという問題があり、病院内の静粛な環境を維持するべく、装置の回転音の抑制が求められていた。
【０００５】
【特許文献１】特開２００２−１５８０９９号公報
【特許文献２】特開２００６−２９６６７６号公報
【発明の開示】
【発明が解決しようとする課題】
【０００６】
したがって、本発明の課題は、装置の静粛性が要求される場合に、Ｘ線管の陽極を静粛モードで動作させて低速回転させることで、装置の騒音を抑制できる回診用Ｘ線撮影装置を提供することにある。
【課題を解決するための手段】
【０００７】
上記課題を解決するため、本発明は、移動用台車と、前記移動用台車に取り付けられたＸ線管支持部と、前記Ｘ線管支持部に支持された陽極回転型Ｘ線管と、前記Ｘ線管の陽極回転機構に電圧を供給し、陽極の回転を制御する陽極駆動制御部と、前記移動用台車に搭載され、前記Ｘ線管に高電圧を印加する高電圧発生装置と、前記移動用台車に備えられ、被検者からのＸ線透過像を検出するＸ線検出器と、を有する回診用Ｘ線撮影装置において、前記陽極駆動制御部が、Ｘ線照射時の前記Ｘ線管の陽極の回転速度を変更し得るようになっていて、予め設定された撮影場所または撮影時刻またはその両方を含んでいる撮影条件における前記撮影場所または前記撮影時刻に基づき静粛動作が要求されると判定したとき、または、静粛動作命令の入力を受けたとき、前記Ｘ線管の陽極を、低速度で回転する静粛モードで動作させることを特徴とする回診用Ｘ線撮影装置を構成したものである。
【０００８】
上記構成において、前記回診用Ｘ線撮影装置は、さらに、Ｘ線照射条件の入力を受ける入力部を備え、前記陽極駆動制御部は、前記Ｘ線管の陽極を前記静粛モードで動作させるとき、前記入力部に入力されたＸ線照射条件が前記陽極の回転速度に適合しない場合には、該Ｘ線照射条件でのＸ線照射を行わないようになっていることが好ましい。
【０００９】
また好ましくは、前記回診用Ｘ線撮影装置は、さらに、複数の前記撮影条件が予め格納された撮影条件記憶部と、前記撮影条件記憶部に格納された複数の前記撮影条件のうち１の撮影条件の選択の入力を受ける撮影条件選択部と、を備え、前記陽極駆動制御部は、前記撮影条件選択部において選択された撮影条件に基づき静粛動作が要求されると判定したとき、または、前記静粛動作命令の入力を受けたとき、前記Ｘ線管の陽極を前記静粛モードで動作させるようになっている。
また好ましくは、前記回診用Ｘ線撮影装置は、さらに、外部に配置された管理装置と無線または有線通信するための送受信部を備え、前記陽極駆動制御部は、前記送受信部において前記管理装置から受信した前記予め設定された撮影条件に基づき静粛動作が要求されると判定したとき、または、前記静粛動作命令の入力を受けたとき、前記陽極を前記静粛モードで動作させるようになっている。
【発明の効果】
【００１０】
本発明によれば、夜間の回診時のＸ線撮影や、集中治療室でのＸ線撮影等の撮影条件から静粛性が要求される場合、Ｘ線管の陽極を静粛モードで動作させて低速回転させることによって、Ｘ線管から発生する騒音を抑制することができる。
【発明を実施するための最良の形態】
【００１１】
以下、添付図面を参照して本発明の好ましい実施例について説明する。図１は本発明の１実施例による回診用Ｘ線撮影装置の全体を示す斜視図であり、図２は、図１の回診用Ｘ線撮影装置の主要部の構成を示すブロック図である。
図１を参照して、本発明によれば、移動用台車１が備えられ、移動用台車１にはＸ線管支持部２が設けられる。Ｘ線管支持部２は、移動用台車１に旋回可能に固定された支柱１７と、支柱１７にそれに沿って上下移動可能に取り付けられ、水平方向に伸縮するアーム１８から構成される。そして、アーム１８の先端部には、陽極回転型Ｘ線管３が取付けられる。Ｘ線管３は、コリメータ３ａを備えている。
【００１２】
移動用台車１には、また、一対のキャスターからなる旋回自在の前輪１９と、モータ２０によって駆動される舵取り不能の後輪２１が備えられ、移動用台車１に取り付けられた操作ハンドル２２を前後に操作することにより、移動台車１が前進または後退する。
【００１３】
そして、移動用台車１が、被検者２３の横たわるベッド２４の側まで移動せしめられる。そして、支柱１７が旋回せしめられてＸ線管３が被検者２３側に配置され、アーム１８が、水平方向に伸縮せしめられ、また、上下方向に移動せしめられて、被検者２３の撮影部位に対してＸ線管３の位置合わせがなされる。
【００１４】
移動用台車１には、また、Ｘ線撮影制御部（図示されない）が搭載され、また、ケーブル２５ａを介して装置に接続され、被検者２３とベッド２４との間に配置されるＦＰＤ２５が備えられる。装置が使用されないときは、ケーブル２５ａが取り外されたＦＰＤ２５がＦＰＤ収納部２６に収納される。移動用台車１には、さらに、ＦＰＤ２５から出力されるデジタルビデオ信号を取り込み、処理してＸ線画像データを生成する画像処理部２７と、画像処理部２７で生成されたＸ線画像データを記憶するメモリ２８と、画像処理部２７から出力されたＸ線画像データを画像表示するモニタ１６と、外部から被検者情報等のデータを入力し、または外部にＸ線画像データを出力するための入出力コネクタ２９が備えられる。
【００１５】
次に図２を参照して、陽極回転型Ｘ線管３の陽極４は、ロータ５と傘状のターゲット６からなり、陽極４の外側にはステータ７が配置される。そして、ステータ７に対して陽極駆動制御部８から起動電力が印加されることにより、陽極４が回転駆動される。この場合、陽極駆動制御部８は、ステータ７に供給する電圧の周波数を変化させることによって、Ｘ線照射時のＸ線管３の陽極４の回転速度を変更し得るようになっている。
【００１６】
また、移動用台車１に搭載され、Ｘ線管３に高電圧を印加する高電圧発生装置９が備えられる。さらに、Ｘ線照射条件の入力を受ける入力部１２と、複数の撮影条件が予め格納された撮影条件記憶部１１と、撮影条件記憶部１１に格納された複数の撮影条件のうち１の撮影条件の選択の入力を受ける撮影条件選択部１０が備えられる。この場合、入力部１２および撮影条件選択部１０は、例えば、モニタ１６に組み込まれたタッチパネルまたはモニタ１６の近傍に備えられたキーアレイからなり、モニタ１６の画面表示を見ながら必要なデータの入力および選択ができるようになっている。
なお、撮影条件を撮影条件選択部１０で選択する代わりに、入力部１２から直接入力することもできる。
【００１７】
陽極駆動制御部８は、撮影条件選択部１０において選択された撮影条件、または入力部１２から直接入力された撮影条件に基づき静粛動作が要求されると判定したとき、または、静粛動作命令の入力を受けたとき、Ｘ線管３の陽極４を、低速で回転する静粛モードで動作させる。静粛動作命令は、装置の使用の際に入力部１２から入力される。
【００１８】
撮影条件は、撮影場所または撮影時刻またはその両方を含んでいる。この場合、例えば、撮影場所が集中治療室であるという条件、あるいは、撮影場所が一般病室であって撮影時刻が夜間であるという条件等は、陽極駆動制御部８によって、Ｘ線撮影に際し静粛性が要求される撮影条件であると判定される。一方、例えば、撮影場所が個室であるという条件、あるいは、撮影場所が一般病室であって撮影時刻が昼間であるという条件等は、陽極駆動制御部１０によって、静粛性が要求されない撮影条件であると判定される。
【００１９】
陽極駆動制御部８は、Ｘ線管３の陽極４を静粛モードで動作させるとき、入力部１２に入力されたＸ線照射条件がＸ線管３の陽極４の回転速度に適合しない場合には、該Ｘ線照射条件でのＸ線照射を行わないようになっている。これは、陽極４が低速度で回転しているときに短時間の高出力Ｘ線照射が設定されることを禁止することによって、高エネルギー電子線の衝突による陽極４の溶融を防止するためである。
なお、装置の静粛性が要求されず、よって、Ｘ線管３の陽極４の高速度回転が可能な場合には、短時間の高出力Ｘ線照射を行うことができることは言うまでもない。
【００２０】
次に、本発明による回診用Ｘ線撮影装置の動作方法について説明する。回診に先立ち、回診用Ｘ線撮影装置の入出力コネクタ２９が、ケーブルによって管理装置１５に接続され、被検者の情報が、回診用Ｘ線撮影装置のメモリ２８に取り込まれる。
【００２１】
そして、操作ハンドル２２の操作によって、回診用Ｘ線撮影装置が病院内を回診のために移動せしめられ、被検者２３が横たわるベッド２４の近傍に配置される。次に、ＦＰＤ収納部２６からＦＰＤ２５が取り出され、ＦＰＤ２５が被検者２３の撮影部位の背面とベッド２４の間に配置され、ＦＰＤ２５がケーブル２５ａによって画像処理部２７に接続される。そして、Ｘ線管３のコリメータ３ａが被検者２４の撮影部位に向けられ、撮影照射野が照準を合わされて固定される。
【００２２】
次に、メモリ２８に格納された被検者情報がモニタ１６に表示され、撮影すべき被検者の情報がタッチパネルまたはキーアレイによって選択される。
さらに、モニタ１６の画面表示に従って、タッチパネルまたはキーアレイによって、静粛動作命令が入力され、または、撮影条件が選択（または入力）される。そして、陽極駆動制御部８は、静粛動作命令が入力されたかどうかを判定し（図３のステップＳ１）、静粛動作命令が入力されたときは、Ｘ線管３の陽極４を、低速度で回転する静粛モードで動作させる（図３のステップＳ４）。一方、静粛動作命令が入力されなかったときは、選択（または入力）された撮影条件に基づき、静粛動作が要求されるかどうかを判定する（図３のステップＳ２、Ｓ３）。
【００２３】
そして、静粛動作が要求されるとき、陽極駆動制御部８は、Ｘ線管３の陽極４を静粛モードで動作させ（図３のステップＳ４）、Ｘ線照射条件の入力を待つ。一方、静粛動作が要求されないとき、陽極駆動制御部８は、Ｘ線照射条件の入力を待つ。
【００２４】
次に、モニタ１６の画面表示に従って、タッチパネルまたはキーアレイによって、Ｘ線照射条件が入力される（図３のステップＳ５）。そして、陽極駆動制御部８は、入力されたＸ線照射条件が、Ｘ線管３の陽極４の回転速度に適合するかどうかを判定し（図３のステップＳ６）、適合しないときは、再度、Ｘ線照射条件の入力を要求する。一方、適合するときは、Ｘ線撮影命令をＸ線照射条件の情報とともにＸ線撮影制御部に与える。
【００２５】
そして、撮影ボタンが操作されてＸ線撮影が行われ、ＦＰＤ２５からデジタルビデオ信号が画像処理部２７に取り込まれ、画像処理部２７で生成されたＸ線画像データが、被検者情報とともにメモリ２８に格納される。また、Ｘ線画像データがモニタ５に送られ、モニタ５にＸ線画像が表示される。
【００２６】
回診終了後、再び、回診用Ｘ線撮影装置が管理装置１５の近傍に停車せしめられ、入出力コネクタ２９と管理装置１５がケーブルによって接続され、被検者情報及び撮影されたＸ線画像のデータが管理装置１５の記憶装置に格納され、その後の診断等に供される。
【００２７】
こうして、本発明の回診用Ｘ線撮影装置によれば、夜間の回診時のＸ線撮影や、集中治療室でのＸ線撮影等の撮影条件から静粛性が要求される場合、Ｘ線管の陽極を静粛モードで動作させて低速回転させることによって、Ｘ線管から発生する騒音を抑制することができる。この場合、操作者が、Ｘ線管の陽極を静粛モードで動作させることを特に意識していなくても、予め設定された撮影条件に応じて自動的に陽極回転速度が必要最小限に調整され、陽極回転時の騒音が抑制される。
また、このように陽極の回転速度を切り換えることによって、消費電力量を節約することもできる。
【００２８】
本発明によれば、さらに、管理装置１５と無線通信するための送受信部１４が備えられる。そして、陽極駆動制御部８は、送受信部１４によって管理装置１５から受信した撮影条件に基づき静粛動作が要求されると判定したとき、Ｘ線管３の陽極４を静粛モードで動作させる。この構成によれば、例えば、回診用Ｘ線撮影装置を、病院内に構築された無線ＬＡＮにアクセス可能にしておき、Ｘ線撮影時に、その都度、該当する撮影条件を管理装置１５から取り込むことができる。
あるいは、送受信部１４を入出力コネクタ２９に接続し、管理装置１５とケーブルを通じて有線通信できるようにすることもできる。
【図面の簡単な説明】
【００２９】
【図１】本発明の１実施例による回診用Ｘ線撮影装置の全体を示す斜視図である。
【図２】図１の回診用Ｘ線撮影装置の主要部の構成を示すブロック図である。
【図３】図１の回診用Ｘ線撮影装置の陽極駆動制御部の動作を示すフロー図である。
【符号の説明】
【００３０】
１  移動用台車
２  Ｘ線管支持部
３  Ｘ線管
３ａ  コリメータ
４  陽極
５  ロータ
６  ターゲット
７  ステータ
８  陽極駆動制御部
９  高電圧発生装置
１０  撮影条件選択部
１１  撮影条件記憶部
１２  入力部
１３  表示部
１６  モニタ
１７  支柱
１８  アーム
１９  前輪
２０  モータ
２１  後輪
２２  操作ハンドル
２３  被検者
２４  ベッド
２５  ＦＰＤ
２５ａ  ケーブル
２６  ＦＰＤ収納部
２７  画像処理部
２８  メモリ
２９  入出力コネクタ
【図１】
0005218728.tif 000002
【図２】
0005218728.tif 000003
【図３】
0005218728.tif 000004